(57)【要約】【課題】面倒な切替操作を必要とせずに、一台の穴あけ綴じ具で多数枚の用紙の穴あけ又は紙綴じ作業を夫々独立して行うことができ、さらに単一の紙置台上で穴あけを行った用紙にそのままの状態で紙綴じを行うことができるようにした。【解決手段】単一の紙置台２の上面にて左右のガイド片５、５の下部に挿通した所要枚数の用紙Ｐの端部を左右の紙当板３、３の側部に当てることによって位置決めされた用紙に対して穴あけと紙綴じとを行なうようにした穴あけ綴じ具であって、左右のパンチ９、９が穴あけ用ハンドル７の押し下げ動作に従動して上下動されることにより、パンチ刃１０、１０による穴あけが行なわれる一方、紙綴じ用ハンドル２３の押し下げ動作に従動して押刃２５が案内されて押し下げられることにより、ガイドフレーム１８内の綴針２０の前端の１個が針穴２２から通過して曲台３０にて折曲されることにより紙綴じを行う。【選択図】図１
2005014158.tif 000002
【特許請求の範囲】
【請求項１】
単一の紙置台の上面に所定間隔をあけて固設された左右の紙当板の上部に前方に延長されたガイド片を有するパンチフレームが固設され、前記単一の紙置台の上面にて前記左右のガイド片の下部に挿通した所要枚数の用紙の端部を前記左右の紙当板の側部に当てることによって位置決めされた用紙に穴あけと紙綴じとを行なうようにした穴あけ綴じ具であって、前記左右の各パンチフレームの垂直方向に挿通された各パンチが各パンチフレームに回動自在に枢設された穴あけ用ハンドルの押し下げ動作に従動して上下動されることにより、前記左右のパンチの下端に設けられたパンチ刃による穴あけが行なわれる一方、前記紙置台において左右の紙当板の中央から外方へ延長された基台にベースフレームが固設され、該ベースフレームの内部にコ字形綴針の押出装置を内蔵したガイドフレームが回動自在に枢設されると共に、前記ベースフレームの前端上部に回動自在に枢設された紙綴じ用ハンドルの押し下げ動作に従動して前記ガイドフレームの前端内部に沿って設けられた押刃が案内されて押し下げられることにより、前記ガイドフレーム内の綴針の前端の１個が該ガイドフレームの前端下部の針穴から通過して前記紙置台の所定位置に固設された曲台にて折曲されることにより紙綴じを行うようにしたことを特徴とする穴あけ綴じ具。
【請求項２】
前記綴針による紙綴じ位置が前記左右のパンチ刃による穴あけ位置の略中央にあることを特徴とする請求項１記載の穴あけ綴じ具。
【請求項３】
前記紙置台に設けられた曲台の先方に指標を有する指標窓が形成されると共に、該指標窓の下部に設けられた長尺のゲージが前記紙置台に設けられた穿孔部に挿通されることによって前記左右の紙当板と平行に移動可能であり、前記ゲージには前記指標窓から読み取られる書類サイズ用のスケールが設けられ、該ゲージの端部に用紙の端部を係止する起立片が形成されてなることを特徴とする請求項１又は２記載の穴あけ綴じ具。
【請求項４】
前記紙置台には前記左右のパンチ刃が挿通する位置にパンチ穴が形成されると共に、該紙置台の裏側に前記パンチ刃によって打ち抜かれた紙屑を受けるための収容蓋が着脱自在に嵌合されていることを特徴とする請求項１、２又は３記載の穴あけ綴じ具。
【発明の詳細な説明】
【０００１】
【発明の属する技術分野】
本発明は、一枚又は多数枚に重ねた用紙の穴あけと紙綴じの両方の機能を併せ持つ穴あけ綴じ具に関するものである。
【０００２】
【従来の技術】
従来、穴あけを行なうパンチと紙綴じを行うホッチキス（登録商標、以下同様）とは別体に構成されてたが、両者を一体化した用具として、下記の特許文献１又は特許文献２に示すものを例にあげて説明する。
【０００３】
特許文献１に記載の発明は、図８に示すように、ホッチキスの紙綴じ機能とパンチの穴あけ機能とを一体化したものであり、ベース５１の上部に綴針の曲台（図には見えない）が設けられ、該ベース５１の上方には針押装置を内装したフレーム５２と、該フレーム５２の後端に枢軸５２ａで枢設されたハンドル５３と、該ハンドル５３の前端に設けられた押刃５４とを有してなる。
【０００４】
また、このハンドル５３には切替スライダー５５が設けられ、この切替スライダー５５の切替によってハンドル５３の押下げ動作を停止し、針押装置内の綴針が押圧されないようにしている。
【０００５】
さらに、ベース５１の下面にパンチ刃５６、５６および係合部５７が設けられ、該ベース５１の側部の取付部５８、５８によってパンチ台５９を開閉自在に連結してあり、パンチ台５９にはパンチ刃５６、５６が嵌入するパンチ穴６０、６０と係合部５７が係止する係止部６１とが設けられ、さらにパンチ台５９の側部離間位置には抑止片６１、６１が設けられている。
【０００６】
このような構成により、紙綴じを行う場合には、ベース５１をパンチ台５９に合致させた状態でベース５１上部の曲台の上に用紙を載置して、ハンドル５３を押し下げると、押刃５４が針押装置内の綴針を押圧し、該綴針の両端が曲台で曲げられて紙を綴じる。
【０００７】
また、パンチとして穿孔作業を行うには、ハンドル５３の切替スライダー５５を後方に移動してハンドル５３とフレーム５２との回動をとめた後、ベース５１を略９０度に開放し、パンチ台５９上に設けた抑止片６１、６１の下面に用紙を挿入する。この状態でハンドル５３を握持することによって、ベース５１を元位置に回動して押し下げることにより、パンチ刃５６、５６が用紙を穿設しながらパンチ穴６０、６０内に嵌入されることによって穴あけが行われる。
【０００８】
また、特許文献２に記載の発明は、図９（ａ）、（ｂ）に示すように、本体ベース６５の中央にホッチキス本体６６とホッチキス台座６７とを取付けたものを可動できるように取付け、図９  （ｂ）に示すようにホッチキス本体６６を移動することによって、パンチカッタースライド板６８、６８を外側に押し、パンチカッター６９、６９を可動させることなくホッチキスを使用することができる。この際、ホッチキス本体６６を使用位置まで移動させ、パンチカッタースライド板６８、６８が外側に移動したら、ハンドル５３を下げることによってホッチキス本体６６を上方より押し、ホッチキス針で紙を綴じることができる。
【０００９】
また、図９（ａ）に示すようにホッチキス本体６６を使用位置とは逆の位置に移動させることによってパンチカッター６９、６９を内側に移動し、パンチカッター６９、６９のみを使用することができる。
【００１０】
【特許文献１】
特開平１１−３００６４９号公報（第２頁、図１）
【特許文献２】
特開２００３−１１０９７号公報（第２頁、図１、図２）
【００１１】
【発明が解決しようとする課題】
ところで、上記の特許文献１の発明は、ホッチキスのベース５１の下部にパンチ５６、５６による穴あけ構造を構成したもので、紙綴じ及び穴あけ共に小数枚の用紙にしかできないうえ、紙綴じと穴あけの作業を行うたびに、切替スライダー５５の切替操作やベース５１をパンチ台５９から開放したり、閉じたりする開閉作業が必要となる。
【００１２】
また、特許文献２の発明は、ホッチキスを使用するには、ホッチキス本体６６を移動することによって、パンチカッタースライド板６８を外側に押す必要がある。一方、パンチカッター６９のみを使用するには、ホッチキス本体６８を使用位置とは逆の位置に移動すると共にパンチカッター６９を内側に移動した状態にする必要があり、この特許文献２の発明においても、紙綴じ及び穴あけ共に小数枚の用紙にしかできないうえ、紙綴じと穴あけの作業を行うために、ホッチキス本体６６とパンチカッタースライド板６８の移動操作が必要とされている。
【００１３】
本発明は、上記の事情に鑑みて成されたもので、面倒な切替操作を必要とせずに、一台の穴あけ綴じ具で多数枚の用紙の穴あけ又は紙綴じ作業を夫々独立して行うことができ、さらに単一の紙置台上で穴あけを行った用紙にそのままの状態で紙綴じを行うことができるようにした穴あけ綴じ具を提供することを目的とする。
【００１４】
【課題を解決するための手段】
上記の目的を達成するために、本発明の請求項１における穴あけ綴じ具は、単一の紙置台の上面に所定間隔をあけて固設された左右の紙当板の上部に前方に延長されたガイド片を有するパンチフレームが固設され、前記単一の紙置台の上面にて前記左右のガイド片の下部に挿通した所要枚数の用紙の端部を前記左右の紙当板の側部に当てることによって位置決めされた用紙に穴あけと紙綴じとを行なうようにした穴あけ綴じ具であって、前記左右の各パンチフレームの垂直方向に挿通された各パンチが各パンチフレームに回動自在に枢設された穴あけ用ハンドルの押し下げ動作に従動して上下動されることにより、前記左右のパンチの下端に設けられたパンチ刃による穴あけが行なわれる一方、前記紙置台において左右の紙当板の中央から外方へ延長された基台にベースフレームが固設され、該ベースフレームの内部にコ字形綴針の押出装置を内蔵したガイドフレームが回動自在に枢設されると共に、前記ベースフレームの前端上部に回動自在に枢設された紙綴じ用ハンドルの押し下げ動作に従動して前記ガイドフレームの前端内部に沿って設けられた押刃が案内されて押し下げられることにより、前記ガイドフレーム内の綴針の前端の１個が該ガイドフレームの前端下部の針穴から通過して前記紙置台の所定位置に固設された曲台にて折曲されることにより紙綴じを行うようにしたことを特徴とする。
【００１５】
また、本発明の請求項２の穴あけ綴じ具は、請求項１において、前記綴針による紙綴じ位置が前記左右のパンチ刃による穴あけ位置の略中央にあることを特徴とする。
【００１６】
また、本発明の請求項３の穴あけ綴じ具は、請求項１又は２において、前記紙置台に設けられた曲台の先方に指標を有する指標窓が形成されると共に、該指標窓の下部に設けられた長尺のゲージが前記紙置台に設けられた穿孔部に挿通されることによって前記左右の紙当板と平行に移動可能であり、前記ゲージには前記指標窓から読み取られる書類サイズ用のスケールが設けられ、該ゲージの端部に用紙の端部を係止する起立片が形成されてなることを特徴とする。
【００１７】
さらに、本発明の請求項４の穴あけ綴じ具は、請求項１、２又は３において、前記紙置台には前記左右のパンチ刃が挿通する位置にパンチ穴が形成されると共に、該紙置台の裏側に前記パンチ刃によって打ち抜かれた紙屑を受けるための収容蓋が着脱自在に嵌合されていることを特徴とする。
【００１８】
【発明の実施の形態】
以下、本発明の実施例について図面を参照しながら説明する。
【００１９】
本発明による穴あけ綴じ具１は、図１に示すように、単一の紙置台２の上面に所定間隔をあけて固設された左右の紙当板３、３の上部にパンチフレーム４、４が固設され、夫々のパンチフレーム４、４の下部には前方に延長されたガイド片５、５が形成されている。なお、図４に示すように、夫々のガイド片５、５の先端はやや上方に折曲された湾曲形状を成し、その下部に用紙Ｐ（図６又は図７参照）を挿入し易くしている。
【００２０】
このような構成においては、図２或いは図６、図７に示すように、単一の紙置台２の上面にてガイド片５、５の下部に挿通した所要枚数の用紙Ｐの端部を左右の紙当板３、３の側部に当てることによって用紙Ｐの位置決めを端部をそろえた状態で行うことができる。そして、この紙置台２上に上記のように位置決めされた用紙Ｐに対して穴あけと紙綴じとが行なわれるため、紙当板３、３の厚さが紙置台２とガイド片５、５との隙間Ｃの幅を規定し、この隙間幅が本発明による穴あけ綴じ具１にセットし得る用紙Ｐの最大枚数を決定することになる。
【００２１】
上記の穴あけ綴じ具１において、用紙Ｐに穴あけを行なう機構について説明すると、図３に示すように、左右の各パンチフレーム４、４は断面長方形状に形成され、各パンチフレーム４、４の両側に垂直片４ａ、４ａが形成され、左右の垂直片４ａ、４ａに対して枢軸６、６によって穴あけ用ハンドル７が回動自在に枢設されている。
【００２２】
また、図３に示すように、上記の穴あけ用ハンドル７の左右には枢軸６、６のやや上方に支軸８、８が設けられ、各支軸８、８には左右の各パンチフレーム４、４の上下の穿孔部に垂直方向にパンチ９、９が挿通されている。
【００２３】
各パンチ９、９の下端にはパンチ刃１０、１０が下向きに形成されると共に、各パンチ９、９の途中にフランジ９ａ、９ａが固設され、該フランジ９ａと各パンチフレーム４の下辺との間にスプリング１１、１１が挿着されているため、穴あけ用ハンドル７は常に上方に弾性的に付勢された状態にされている。
【００２４】
ただし、図２又は図４に示すように、穴あけ用ハンドル７の左右の下端上部７ａが左右のパンチフレーム４、４の上端の係止位置４ｂ、４ｂに係止されることによって、穴あけ用ハンドル７は、自然状態で、前方（図４の右方）斜め方向に傾斜した状態を保つ。
【００２５】
なお、図１において、左右のパンチ刃１０、１０の間隔は通常の約８ｃｍ間隔にされ、この左右のパンチ刃１０、１０による穴あけは、約８ｃｍの間隔で行なわれる。
【００２６】
さらに、本実施例において、図３に示すように、紙置台２には左右のパンチ刃１０、１０が挿通する位置にパンチ穴１２、１２が形成されると共に、図１に示すように、該紙置台２の裏面にパンチ刃１０によって打ち抜かれた紙屑を受けるための収容蓋１３が着脱自在に嵌合されている。
【００２７】
上記の構成により、紙置台２の上面にてガイド片５、５の下部に所要枚数の用紙Ｐを挿通してその端部を左右の紙当板３、３の側部に当てることによって用紙Ｐの端部をそろえた状態で位置決めを行うことができる。次いで、左右の各パンチフレーム４、４の垂直方向に挿通された各パンチ９、９が各パンチフレーム４、４に回動自在に枢設された穴あけ用ハンドル７の押し下げ動作に従動して上下動されることにより、左右のパンチ９、９の下端に設けられたパンチ刃１０、１０による穴あけが行なわれ、打ち抜かれた紙屑は収容蓋１３の内部に収容される。なお、この収容蓋１３は、紙置台２の下部の空所に嵌め込まれているため、この収容蓋１３を取り外すことによって内部の紙屑を排除することができる。
【００２８】
次に、本実施例において、紙綴じを行なう機構について説明すると、図２に示すように、紙置台２において左右の紙当板３、３の中央から外方へ基台１５が延長されると共に、該基台１５にベースフレーム１６が固設されている。
【００２９】
ベースフレーム１６には、図１に示すように、内部にコ字形綴針（不図示）の押出装置１７を内蔵したガイドフレーム１８が枢軸１６ａで回動自在に枢設され、図４に示すように基台１５とガイドフレーム１８との間にはスプリング１９が回想されているため、ガイドフレーム１８は枢軸１６ａの周りに前方が常に上方へ付勢されている。
【００３０】
このガイドフレーム１８の内部は市販のコ字形綴針の連続体を案内する長尺の溝が形成され、このガイドフレーム１８の後端に着脱自在に嵌合されたストッパー２１と不図示のスプリングとで構成された押出装置１７によって、上記のコ字形綴針２０の連続体がガイドフレーム１８の先端まで弾性を有して押し出されるように構成されている。なお、ストッパー２１を取り外すことによって、ガイドフレーム１８の内部に市販のコ字形綴針２０の連続体を充填することができる。
【００３１】
また、図１に示すように、ガイドフレーム１８の前端下部にはコ字形綴針の連続体の内の１個の綴針２０を下方へ通過させる針穴２２が形成されている。
【００３２】
一方、図４に示すように、ベースフレーム１６の前端上部に紙綴じ用ハンドル２３が枢軸１８ａで回動自在に枢設されている。この紙綴じ用ハンドル２３は、穴あけ用ハンドル７の操作に対して独立して操作できるように、穴あけ用ハンドル７の上方へ立ち上げた上端から前方傾斜方向へ伸張した形状に形成されている。
【００３３】
また、図１又は図３に示すように、この紙綴じ用ハンドル２３の内部には、ガイドフレーム１８の前端に形成された押刃ガイド２４に沿って上方へ長尺の押刃２５が伸長され、該押刃２５の上端を支持した支持軸２６を案内する溝状軌道２７（図４参照）が形成されている。
【００３４】
このような構成により、上記の穴あけと同一の紙置台２の上面にてガイド片５、５の下部に所要枚数の用紙Ｐを挿通してその端部を左右の紙当板３、３の側部に当てることによって用紙Ｐの端部をそろえた状態で位置決めを行い、次いで紙綴じ用ハンドル２３の押し下げ動作に従動して押刃２５がガイドフレーム１８の前端の押刃ガイド２４に沿って押し下げられることにより、ガイドフレーム１８内の綴針２０の前端の１個が該ガイドフレーム１８の前端下部の針穴２２から通過して紙置台２の所定位置に固設された曲台３０に形成された両側の湾曲溝３１、３１（図１参照）に倣って内側に折曲されることによって紙綴じを行う。
【００３５】
本実施例において、図２に示すように、曲台３０は左右のパンチ穴１２、１２間の中央であって、パンチ穴１２、１２と略同様の前後位置に位置を決めて固設されている。このような構成によって、図６に示すように、単一の紙置台２にセットした用紙Ｐに穴あけ用ハンドル７の押し下げ操作によってパンチ１０、１０による穴あけを行ない、次いで図７に示すように紙綴じ用ハンドル２３の押し下げ操作によって綴針２０による紙綴じを行うと、紙綴じ位置（図２の湾曲溝３１、３１に相当する位置）はパンチ１０、１０による穴あけ箇所の略中央位置となる。
【００３６】
また、本実施例においては、図１に示すように、紙置台２に設けられた曲台３０の先方に指標３２を有する指標窓３３を形成すると共に、該指標窓３３の下部に設けられた長尺のゲージ３４が紙置台２の穿孔部２ａに挿通されることによって左右の紙当板３、３と平行に移動可能にされている。さらに、図５に示すように紙置台２の背面にて指標窓３３の裏側に固設されたゲージ保持具３７でゲージ３４の滑りを抑制するように保持してある。
【００３７】
このゲージ３４には指標窓３３から読み取られる書類サイズ用のスケール（不図示）が設けられているため、指標３２に所定大の書類のスケールを合わせるようにゲージ３４の位置を調整することによって、ゲージ３４の端部に形成された起立片３５に用紙Ｐの端部を合わせるだけで所定の離間位置に左右のパンチ刃１０、１０による穴あけ或いは紙綴じを行うことができる。
【００３８】
なお、上記の構成においては、紙置台２の裏側の前方左右と収容蓋１３の裏側の後方左右にゴム製脚部３８、３８…が固設してあり、上記の穴あけ及び紙綴じの際の滑り止めを成すようにしている。
【００３９】
【発明の効果】
以上説明したように、本発明の穴あけ綴じ具によれば、比較的多数枚の用紙の穴あけを行う機構と紙綴じを行なう機構とを単一の紙置台に一体的に構成してあるため、その分製造コストが安価になり、また使用の際にも、一台で用紙の穴あけと紙綴じとを独立的且つ併用して行うことが可能となり、設置スペースをとることなく、一台で多機能な使用が可能となる。
【００４０】
即ち、本発明においては、単一の紙置台の上面に所定間隔をあけて固設された左右の紙当板の上部に前方に延長されたガイド片を有するパンチフレームが固設されているため、この紙置台の上面にて左右のガイド片の下部に挿通した所要枚数の用紙の端部を左右の紙当板の側部に当てることによって端部をそろえた状態で位置決めされた用紙に穴あけと紙綴じとを行なうことができ、しかも穴あけ用ハンドルの押し下げ操作と紙綴じ用ハンドルの押し下げ操作は夫々独立的且つ同時に行うことが可能であるため、穴あけのみの作業、紙綴じのみの作業、さらには用紙に穴あけを行なった際に、この用紙の仮綴じを行う作業を行うことも可能となる。
【００４１】
また、本発明においては、紙置台に設けられた曲台の先方に指標を有する指標窓が形成されると共に、該指標窓の下部に設けられた長尺のゲージが設けられているため、前記指標に所定大の書類のスケールを合わせるようにゲージの位置を調整することによって、ゲージの端部に形成された起立片に用紙の端部を合わせるだけで所定位置にパンチによる穴あけ或いは紙綴じを行うことができる。
【００４２】
さらに、本発明によれば、紙置台に形成された左右のパンチ穴とパンチ刃によって打ち抜かれた紙屑を受けるための収容蓋が着脱自在に設けられているため、穴あけ後の紙屑が散乱することなく使用することができ、また収容蓋を取り外すことによって収容蓋の内部に貯まった紙屑を容易に廃棄することができる。
【図面の簡単な説明】
【図１】本発明による穴あけ綴じ具の前方斜視図である。
【図２】本発明による穴あけ綴じ具の上面図である。
【図３】本発明による穴あけ綴じ具の前方端面図である。
【図４】本発明による穴あけ綴じ具の側面図である。
【図５】本発明による穴あけ綴じ具の底面図である。
【図６】本発明による穴あけ綴じ具によって用紙の穴あけを行っている状況を示す前方斜視図である。
【図７】本発明による穴あけ綴じ具によって用紙の紙綴じを行っている状況を示す前方斜視図である。
【図８】従来の多機能パンチホッチキスの開放状態を示す斜視図である。
【図９】（ａ）、（ｂ）は従来のホッチキス一体型ペーパーパンチの上面図である。
【符号の説明】
１…穴あけ綴じ具
２…紙置台
２ａ…穿孔部
３…紙当板
４…パンチフレーム
４ｂ…係止位置
５…ガイド片
６…枢軸
７…穴あけ用ハンドル
８…支軸
９…パンチ
９ａ…フランジ
１０…パンチ刃
１１…スプリング
１２…パンチ穴
１３…収容蓋
１５…基台
１６…ベースフレーム
１７…押出装置
１８…ガイドフレーム
１８ａ…枢軸
１９…スプリング
２０…綴針
２１…ストッパー
２２…針穴
２３…紙綴じ用ハンドル
２４…押刃ガイド
２５…押刃
２６…支持軸
２７…溝状軌道
３０…曲台
３１…湾曲溝
３２…指標
３３…指標窓
３４…ゲージ
３５…起立片
３７…ゲージ保持具
３８…ゴム製脚部
Ｐ…用紙
【図１】
2005014158.tif 000003
【図２】
2005014158.tif 000004
【図３】
2005014158.tif 000005
【図４】
2005014158.tif 000006
【図５】
2005014158.tif 000007
【図６】
2005014158.tif 000008
【図７】
2005014158.tif 000009
【図８】
2005014158.tif 000010
【図９】
2005014158.tif 000011